(57)【要約】【課題】地抓力及び滑り防止効果を向上できる改良のスパイクを提供する。【解決手段】スパイク台１２と、数個のスパイク体１４とを含むスパイクであって、靴の弾性靴底の内部に設置されている。スパイク台１２は、底部２２、数個の結合台２４があって、一体で底部２２の周縁に成形され、やや相対の底部２２に対して弾性偏移可能である。スパイク体１４は、各別に各結合台２４上に設置されていて、靴底に突出し、これによって、各結合台２４と部分のスパイク体１４は弾性靴底の包みを受けることが可能である。各スパイク体１４が外力の作用を受けて結合台２４を同時にやや偏移させる時に、靴底材質の弾性と各結合台２４の弾性回復力を利用して、適当な地抓力を生じることが可能である。【選択図】図２
0003119208.tif 000002
【実用新案登録請求の範囲】
【請求項１】
スパイク台と、数個のスパイク体とを含むスパイクにおいて、靴の弾性靴底の内部に設置されている改良のスパイクであって、
前記スパイク台は底部、数個の結合台があって、一体で前記底部の周縁に成形され、やや相対の底部に対して弾性偏移可能であり、
前記スパイク体は各別に各前記結合台上に設置されていて、靴底に突出し、これによって各前記結合台と部分のスパイク体は弾性靴底の包みを受けることが可能であり、各前記スパイク体が外力の作用を受けて結合台を同時にやや偏移させる時に、前記靴底材質の弾性と各結合台の弾性回復力を利用して適当な地抓力を発生可能に構成されていることを特徴とする改良のスパイク。
【請求項２】
前記スパイク台は、金属材料で製作されていることを特徴とする請求項１記載の改良のスパイク。
【請求項３】
各前記結合台は、各別に一つの台体を含み、各前記台体上には一つの挿し孔が設けられていて、前記スパイク体の一端は挿し孔の中に挿し置かれていることを特徴とする請求項１記載の改良のスパイク。
【請求項４】
各前記台体の断面は、やや巻状になっていて、前記挿し孔を形成することを特徴とする請求項３記載の改良のスパイク。
【請求項５】
各前記結合台は、更に各別に一つのベース部を含み、各前記ベース部は底部の周縁で曲がっていて、各前記台体はベース部の外端に連接していることを特徴とする請求項４記載の改良のスパイク。
【請求項６】
各前記スパイク体は、金属材料で製作されていることを特徴とする請求項１記載の改良のスパイク。
【請求項７】
各前記台体上には、各別にスパイク体に対応した一つの凹みが設けられ、各前記スパイク体を突き寄せることが可能であることを特徴とする請求項４記載の改良のスパイク。
【請求項８】
各前記ベース部の両側は、台体の挿し孔に対応し、各前記スパイク体の内端はベース部の端面に突き止められていることを特徴とする請求項５記載の改良のスパイク。
【考案の詳細な説明】
【技術分野】
【０００１】
本考案は、靴具に関し、更に詳しく言うと、一種の改良のスパイクに関する。
【背景技術】
【０００２】
周知のスパイクは、主に、靴底の底側に設置されていて、穿いた人が草地に立つ、歩く、或いは、土質が柔らかい場所の時に、滑り防止、地抓の効果を生じることに使用されているので、スパイクがある靴は多種類の運動項目に必要とされ、例えば、走る、跳ぶ、ゴルフの運動等である。
【０００３】
周知のスパイク形式は、大体二種類の形式に区分することができる。その一は単一柱状のスパイクであり、その二は多数のスパイク体がある盤状スパイクである。上記の第一種の形式のスパイクは、一般では、多数個が靴の底側に設けられている。しかし、コストと設計上では、靴の底側には一般に多くのスパイクを設置しない。このために、この形式のスパイクは、単点の地抓の方式に属するので、地抓力は比較的不足し、尚且つ跳んだ時では、地面の反作用力は単点の形式で足部にはね返るので、容易に足の底部に不快感を生じさせる。第二種の形式のスパイクは、数個のスパイク体があるので、滑り防止の効果を上げることができるが、剛性の盤体と数個のスパイク体の設計であるので、事実上、只滑り防止効果があるだけで、本当の地抓の効果がない。
【考案の開示】
【考案が解決しようとする課題】
【０００４】
しかしながら、上記のように、周知の単一柱状のスパイクは、地抓力が不足で、単点の反作用力によって足の底部に不快感が生じる。多数のスパイク体の盤状スパイクは、滑り防止効果はあるが、本当の地抓効果がない欠点がある。
【課題を解決するための手段】
【０００５】
本考案は、上記の欠点を解決するためになされたものであり、一種の改良のスパイクを提供し、該改良のスパイクは靴の内部に設置されていて、一つのスパイク台と数個のスパイク体を含むものである。該スパイク台は、一つの底部及び数個の結合台があって、一体で該底部の周縁に成形され、並びにやや相対の底部に対して弾性偏移することができる。該スパイク体は、各別に各該結合台上に設置されていて、並びに靴底の外に突出していて、これで上記の課題を解決する。
【考案を実施するための最良の形態】
【０００６】
以下、図面に従って本考案を説明する。
図１から図３を参照する。本考案の一つの比較的良い実施例によるスパイク１０は、一つの靴２０の弾性靴底２１の内部に設置することができる。これは、一つのスパイク台１２と数個のスパイク体１４で構成されている。
【０００７】
該スパイク台１２は、金属材料で曲折して製作したもので、一つの底部２２及び三つの結合台２４があって、該底部２２の外縁に突伸した板体を曲折して作られたもので、これで該底部２２に相対してやや弾性偏移を行うことができる。該結合台２４は、各別に一つのベース部２６と一つの台体２８がある。該ベース部２６は、曲折して底部２２の周縁に形成されている。該台体２８は、該ベース部２６の上に連接していて、曲折して巻状になっている。これで一つの挿し孔２９を形成する。
【０００８】
各該スパイク体１４は、該スパイク台１２よりも比較的更に硬い金属材料で製作されていて、各別に各該挿し孔２９の中に挿し込まれている。
これで、該スパイク台１２は、靴底２１の内部に置かれ、そして、各該スパイク体１４の末端は靴底２１の適当な長さを突出する。これで、各該結合台２４とスパイク体１４は皆靴底２１の弾性材料の包み被しを受けることができるので、丁度よく該靴底２１の材料の弾性及び結合台２４を利用して、相対の底部２２に対してやや弾性の偏移の設計をすることができ、これによって、各該スパイク体１４に適当な地抓弾性を発生させる。
【０００９】
人間が歩く時の足部の踏み動き、地面を接触する角度は、通常ではやや変化があるので、該靴２０の底部に設置した各スパイク１０が地面に接触或いは挿し込む角度も変化がある。図３に示すように、若しも各該スパイク体１４がやや収縮の挿し地状態の時では、各該スパイク体１４の間の所の靴底２１の部分は圧縮を受けて反弾力を生じ、各該結合台２４に配合して、相対の底部２２はやや外に向かって弾性回復力を生じて、各該スパイク体１４の外に張る力を上げることができるので、これによって、各該スパイク体１４の地抓力及び滑り防止効果を上げる。逆に、若しも各該スパイク体１４がやや外側に向かって張った接触或いは地挿し状態の時、図４に示すように、各該スパイク体１４の外側の所の靴底２１の部分は圧力を受けて、スパイク体１４に収縮の反弾力を生じさせ、各該結合台２４に相対した底部２２のやや収縮した弾性回復力に配合して、各該スパイク体１４に収縮の力を発生させ、進んで地抓力と滑り防止効果を上げることもできる。
【００１０】
次に、図５を参照する。これは、本考案の別の比較的良い実施例のスパイク３０である。この構造は、大体該スパイク１０と同じで、違う所は、各スパイク体３２の末端が錐状の形式になっていて、且つ、各該スパイク体３２が結合台３４から脱落せず、或いは、力を受けて結合台３４の内端に押し込まれないようにするために、各該結合台３４の外側のスパイク体３２の対応した所に更に各別に一つの凹み３６を作って、各該スパイク体３２を挟み止める。これで、該スパイク３０も前に示した良い滑り防止、地抓の効果を得ることができる。
【００１１】
図６を参照する。これは、本考案の別の比較的良い実施例のスパイク４０である。各結合台４２のベース部４３の二側は、相対して曲折して、台体４４の挿し孔４６に対応し、これによって、各該スパイク体４８の内端をベース部４３の端面に突き止めて、各該スパイク体４８が力を受ける時に、結合台４２の内端の方向に向けて押し込まれないようにして、地抓の効果に影響しないようにする。
【００１２】
上記で説明したように、本考案のスパイクは、適度の弾性偏移の各結合台、結合台の包み被しの搭配と、スパイク体の靴底の弾性材料の設計によって、使用者の行進時の各該スパイク体の接触する地面が任意の偏移の状態にかかわらず、皆適度の弾性回復力の推移を受けることができて、地抓効果を発生することができる。周知のスパイクと比較すると、本考案は確実に更に良い滑り防止の効果がある。
【図面の簡単な説明】
【００１３】
【図１】本考案の一実施例による改良のスパイクを示す斜視図である。
【図２】本考案の一実施例による改良のスパイクを示す分解斜視図である。
【図３】本考案の一実施例による改良のスパイクの靴底に取り付けてスパイク体を地面に挿し込んだ状態を示す模式図である。
【図３Ａ】図３の部分拡大図である。
【図４】本考案の一実施例による改良のスパイクの靴底に取り付けてスパイク体の地面に挿し込んだ別の状態を示す模式図である。
【図４Ａ】図４の部分拡大図である。
【図５】本考案の別の実施例による改良のスパイクの斜視図である。
【図６】本考案の別の実施例による改良のスパイクの斜視図である。
【図１】
0003119208.tif 000003
【図２】
0003119208.tif 000004
【図３】
0003119208.tif 000005
【図３Ａ】
0003119208.tif 000006
【図４】
0003119208.tif 000007
【図４Ａ】
0003119208.tif 000008
【図５】
0003119208.tif 000009
【図６】
0003119208.tif 000010